(57)【要約】【課題】  剥ぎ取り式のスリッパの提供。【解決手段】  剥ぎ取り式のスリッパであり、スリッパ本体とカバーで構成され、カバーがスリッパ本体の外部に嵌合され、該カバー底部が複数層の不織布で構成され、且つカバー底端に切り取り線が設けられ、スリッパ本体を足に着用し、且つカバーの不織布組織を利用して毛髪、灰塵等を付着させてフロアを掃除する効果を有すると共に、切り取り線で最底層の不織布を剥ぎ取ることにより、カバー底面の清潔を保持できるよう形成されている。【選択図】        図１
0003108542.tif 000002
【実用新案登録請求の範囲】
【請求項１】
足に着用されるスリッパ本体と該スリッパ本体外部に嵌合されるカバーを具えたスリッパにおいて、
該カバーの底部が複数層の不織布で構成され、カバーの底部の底端に切り取り線が設けられ、該切り取り線を利用して不織布を一層ずつ剥ぎ取ってカバー底端の清潔を保持でき、また不織布組織の特性により、カバー底端に毛髪及び灰塵を付着させてフロア掃除の機能を達成できることを特徴とする、スリッパ。
【請求項２】
請求項１記載のスリッパにおいて、スリッパ本体にアッパーが設けられ、該アッパーにより人の足に着用されることを特徴とする、スリッパ。
【請求項３】
請求項１記載のスリッパにおいて、カバー前端にアッパー部が設けられ、後端に固定部が設けられ、該アッパー部と固定部によりスリッパ本体に嵌合されることを特徴とする、スリッパ。
【請求項４】
請求項１記載のスリッパにおいて、スリッパ本体の底部が複数層の不織布で構成されてそれに切り取り線が設けられ、最上層の不織布を剥ぎ取りスリッパ本体の清潔を保持できることを特徴とする、スリッパ。
【考案の詳細な説明】
【技術分野】
【０００１】
本考案は毛髪、灰塵を付着させてフロアを掃除する効果を有すると共に、スリッパ底部の清潔を保持できる、スリッパに関する。
【背景技術】
【０００２】
空気中には灰塵の存在があり、地面上に多くの灰塵が付着し、また身体機能による影響から経常的に毛髪が脱落する現象があり、毛髪がフロア上に落ちると、フロアが汚れ、このため居住環境の衛生に影響が生じるため、室内でスリッパを着用する場合が多い。
【０００３】
伝統的なスリッパはスリッパ本体で構成されて人が足に着用でき、足裏と地面が接触するのを防止して地面と足裏の清潔を保持する。
【０００４】
しかし上述の伝統的なスリッパは人の足に着用され、このため人が歩くと灰塵や毛髪が室内空間のコーナーに溜まり、室内環境を汚し、またある時間の後にはスリッパを洗ってスリッパの清潔を保持して室内環境を良好に保持する必要がある。このような方式は、家主或いは管理者に洗濯や掃除の手間を増やす。
【考案の開示】
【考案が解決しようとする課題】
【０００５】
ゆえに、本考案は一種のスリッパを提供し、それは、スリッパ本体とカバーで構成され、カバーがスリッパ本体の外部に嵌合され、該カバー底部が複数層の不織布で構成され、且つカバー底端に切り取り線が設けられ、スリッパ本体を足に着用し、且つカバーの不織布組織を利用して毛髪、灰塵等を付着させてフロアを掃除する効果を有すると共に、切り取り線で最底層の不織布を剥ぎ取ることにより、カバー底面の清潔を保持できるよう形成されている。
【０００６】
本考案の主要な目的は、不織布で構成したカバーをスリッパ本体に嵌合させ、カバーの不織布組織により、フロア上の毛髪や灰塵を付着させ、また切り取り線で最底層の不織布を剥ぎ取ってカバー底面を清潔に保持でき、これにより地面を清潔に保持できるようにすることにある。
【０００７】
本考案の次の目的は、スリッパ本体底部を複数層の不織布で形成し、スリッパ本体の人の足裏と接触する平面に切り取り線を設けて、切り取り線でスリッパ本体底部の不織布を剥ぎ取ることができ、次の人が着用する時に、スリッパ本体の清潔を保持できるようにすることにある。
【課題を解決するための手段】
【０００８】
請求項１の考案は、足に着用されるスリッパ本体と該スリッパ本体外部に嵌合されるカバーを具えたスリッパにおいて、
該カバーの底部が複数層の不織布で構成され、カバーの底部の底端に切り取り線が設けられ、該切り取り線を利用して不織布を一層ずつ剥ぎ取ってカバー底端の清潔を保持でき、また不織布組織の特性により、カバー底端に毛髪及び灰塵を付着させてフロア掃除の機能を達成できることを特徴とする、スリッパとしている。
請求項２の考案は、請求項１記載のスリッパにおいて、スリッパ本体にアッパーが設けられ、該アッパーにより人の足に着用されることを特徴とする、スリッパとしている。
請求項３の考案は、請求項１記載のスリッパにおいて、カバー前端にアッパー部が設けられ、後端に固定部が設けられ、該アッパー部と固定部によりスリッパ本体に嵌合されることを特徴とする、スリッパとしている。
請求項４の考案は、請求項１記載のスリッパにおいて、スリッパ本体の底部が複数層の不織布で構成されてそれに切り取り線が設けられ、最上層の不織布を剥ぎ取りスリッパ本体の清潔を保持できることを特徴とする、スリッパとしている。
【考案の効果】
【０００９】
本考案のスリッパは、スリッパ本体とカバーで構成され、カバーがスリッパ本体の外部に嵌合され、該カバー底部が複数層の不織布で構成され、且つカバー底端に切り取り線が設けられ、スリッパ本体を足に着用し、且つカバーの不織布組織を利用して毛髪、灰塵等を付着させてフロアを掃除する効果を有すると共に、切り取り線で最底層の不織布を剥ぎ取ることにより、カバー底面の清潔を保持できるよう形成されている。
【考案を実施するための最良の形態】
【００１０】
図１から図３に示されるように、本考案のスリッパはスリッパ本体とカバーで構成されている。
【００１１】
該スリッパ本体１０は、人が足に着用するのに供され、それにアッパー１１が設けられて該アッパー１１が足に嵌合される。
【００１２】
該カバー２０は、スリッパ本体１０に嵌合され、該カバー２０の底部は複数層の不織布２１で構成され、且つ該カバー２０の前端にアッパー部２２が設けられ、後端に固定部２３が設けられ、カバー２０の底部底端に切り取り線２４が設けられている。
【００１３】
スリッパ本体１０をアッパー１１を利用してカバー２０前端のアッパー部２２内に挿入し、更にスリッパ本体１０の後端にカバー２０後端の固定部２３を嵌合させて、カバー２０をスリッパ本体１０外部に嵌合し、人が足に着用するのに供する。
【００１４】
図３及び図４に示されるように、スリッパ本体１０がカバー２０内部に嵌合されて人の着用に供される時、人が歩くことでカバー２０の底端に毛髪や灰塵等の物質が付着し、これによりカバー２０底端の切り取り線２４で最下端の不織布２１を剥ぎ取れば、カバー２０底端の清潔を保持でき、また不織布２１組織の特性によりカバー２０底端に重複して毛髪及び灰塵が付着し、フロア掃除の効果が達成され、これにより室内空間の清潔を保持でき、良好な居住環境を提供できる。
【００１５】
更に、図５に示されるように、スリッパ本体１０の底部を複数層の不織布で構成し、且つスリッパ本体１０の人が着用する面に切り取り線１２を設けて、人がスリッパ本体１０を着用する時、スリッパ本体１０底部の不織布組織を利用し、人の足裏の汚れや灰塵を付着させて人の足裏を清潔に保つようにした形態も可能である。
【００１６】
切り取り線１２を利用して底部の最上層の不織布を剥ぎ取ることで、次の人はきれいなスリッパ本体１０を着用でき、これによりスリッパ本体１０を清潔に保持できる。
【００１７】
上述の各名称は本考案の技術内容を説明するために定められたものであり、本考案の請求範囲を限定するものではなく、ゆえに本考案の創作精神に基づきなしうる細部の修飾或いは改変は、いずれも本考案の請求範囲に属するものとする。
【図面の簡単な説明】
【００１８】
【図１】本考案の分解図である。
【図２】本考案の表示図である。
【図３】本考案の底面表示図である。
【図４】本考案の断面図である。
【図５】本考案の別の応用例図である。
【符号の説明】
【００１９】
１０  スリッパ本体                  １１  アッパー
１２  切り取り線
２０  カバー                        ２１  不織布
２２  アッパー部                    ２３  固定部
２４  切り取り線
【図１】
0003108542.tif 000003
【図２】
0003108542.tif 000004
【図３】
0003108542.tif 000005
【図４】
0003108542.tif 000006
【図５】
0003108542.tif 000007